(57)【要約】【課題】線香立ての灰内部の燃え残り線香屑を、簡易な操作で周囲を汚さずに効率良く取出すことができる燃え残り線香屑除去具を提供する。【解決手段】先端が開放した複数の棒状体２を所定間隔離間して列設される櫛部４を構成し、上記櫛部４の先端を上方に折曲して折曲係止部５が形成され、櫛部４の後方に柄部６を延設して該柄部６の後端に把持部８が形成されて成り、上記把持部８を摘んで上記櫛部４を線香立て１０に充填されている灰１２内部に挿入し、これを掻き上げることで上記灰１２内部から燃え残り線香屑１５を折曲係止部５に係止して取出すようにした。【選択図】  図３
0003126220.tif 000002
【実用新案登録請求の範囲】
【請求項１】
焼香時に線香などを立てて使用する線香立て内の燃え残り線香屑を除去する燃え残り線香屑除去具１であって、
上記燃え残り線香屑除去具１は、先端が開放した複数の棒状体２を所定間隔離間して列設される櫛部４を構成し、上記櫛部４の先端を上方に折曲して折曲係止部５が形成され、上記櫛部４の後方に柄部６を延設して該柄部６の後端に把持部８が形成されて成り、
上記把持部８を摘んで上記櫛部４を線香立て１０に充填されている灰１２内部に挿入し、これを掻き上げることで上記灰１２内部から燃え残り線香屑１５を上記折曲係止部５に係止して取出すようにしたことを特徴とする燃え残り線香屑除去具。
【請求項２】
上記複数の棒状体２から成る櫛部４、及びその先端を上方に折曲した折曲係止部５、ないし上記櫛部４後方に延設した柄部６、及び該柄部６後端の把持部８が薄板状ステンレス鋼鈑で形成され、上記複数の棒状体２から成る櫛部４ないし柄部６及び把持部８をプレス機械により平板状に打抜き後、上記折曲係止部５を折り曲げ加工により形成されるようにしたことを特徴とする請求項１に記載の燃え残り線香屑除去具。
【考案の詳細な説明】
【技術分野】
【０００１】
本考案は、線香立ての内部に貯まった燃え残り線香屑除去具の改良に関する。
【背景技術】
【０００２】
従来より、線香の焼香時に仏壇や墓石等に使用される線香立ては、焼香した後に線香立ての内部に多数の燃え残りの線香屑が貯まり、特に墓石に設置されている線香立て用の穴や筒体は、深く細い形状で形成されていることから燃え滓が直ぐに貯まるため、底に貯まった燃え残り線香屑が邪魔になって線香が立て難い問題を有していた。
【０００３】
このような燃え残り線香屑を線香立てから除去する除去具として、墓石の線香立て用の穴や筒体内の底面に挿脱可能な底台に上記穴や筒体の深さより長い支軸を設け、この支軸上端に取付けられた取っ手を摘んで上記底台上に載置された燃え残り線香屑を取り出すようにした線香除去具が提案されている（特許文献１参照）。
【０００４】
また、別の線香除去具として、板金を打ち抜いて支柱となる八手状に展開して、墓石の線香立て用の穴や筒体内に挿入可能な円形の底板の周囲に複数の支柱（八手）を放射状に等配し、上記複数の支柱を底板に対し垂直に折曲して立上げ、各支柱上端に設けた取っ手部を摘んで上記底板上に載置された燃え残り線香屑を取り出すようにした線香除去具が提案されている（特許文献２参照）。
【０００５】
一方、葬儀場や一般家庭の仏壇などで使用される線香立てとして、円形筒体や角型で構成されたやや大型の線香立て用として、十能に類似した形状で角型に開口した底部に張設したメッシュの荒い網で灰をふるい落し、上記網上に残った燃え残り線香屑を取出すようにした線香除去具も提案されている（特許文献３参照）。
【０００６】
【特許文献１】特開平１１−３１１０４４号公報
【特許文献２】実用新案登録第３０９１１８７号公報
【特許文献３】意匠登録第１１７８０６２号公報
【考案の開示】
【考案が解決しようとする課題】
【０００７】
ところで、特許文献１及び２に係る線香屑除去具では、墓石の線香立てとして比較的小型に形成された穴や筒体内に予め線香屑除去具を挿入して用いられるもので、使用後に線香屑除去具を引出すことで少数の燃え残り線香屑を取出すことができるが、葬儀場や一般家庭の仏壇などの線香立て用として使用するには内部に灰が充填されるため、灰内部の燃え残りの線香屑を取出す際に多量の灰も同時に取出されてしまうため灰が外側にこぼれて線香立ての周囲を汚してしまう問題を有していた。
【０００８】
また、特許文献３に示されるような葬儀場や一般家庭の仏壇などで使用される比較的大型の線香立てに使用される線香除去具では、多量の灰も同時に取出されてしまうため線香立て上面で灰をふるい落とす際に上記線香立ての外側に飛び散った灰で線香立ての周囲が汚される問題を有していた。
【０００９】
本考案は、このような要望に着目してなされたもので、線香立ての灰内部の燃え残り線香屑を、簡易な操作で周囲を汚さずに効率良く取出すことができる燃え残り線香屑除去具を提供することを目的とする。
【課題を解決するための手段】
【００１０】
上記目的を解決するために、本考案の請求項１に記載の燃え残り線香屑除去具は、焼香時に線香などを立てて使用する線香立て内の燃え残り線香屑を除去する燃え残り線香屑除去具１であって、上記燃え残り線香屑除去具１は、先端が開放した複数の棒状体２を所定間隔離間して列設される櫛部４を構成し、上記櫛部４の先端を上方に折曲して折曲係止部５が形成され、上記櫛部４の後方に柄部６を延設して該柄部６の後端に把持部８が形成されて成り、上記把持部８を摘んで上記櫛部４を線香立て１０に充填されている灰１２内部に挿入し、これを掻き上げることで上記灰１２内部から燃え残り線香屑１５を上記折曲係止部５に係止して取出すようにしたことを特徴とする燃え残り線香屑除去具である。
上記の燃え残り線香屑除去具によれば、把持部８を摘んで櫛部４を線香立て１０の灰１２内部に挿入し、これを掻き上げることで上記灰１２内部に残されている燃え残り線香屑１５が上記櫛部４ないし折曲係止部５に係止されるとともに、灰１２は所定間隔離間した複数の棒状体２の隙間から線香立て１０内に落下し、燃え残り線香屑１５が外部に取出される。
【００１１】
本考案の請求項２に記載の燃え残り線香屑除去具は、上記複数の棒状体２から成る櫛部４、及びその先端を上方に折曲した折曲係止部５、ないし上記櫛部４後方に延設した柄部６、及び該柄部６後端の把持部８が薄板状ステンレス鋼鈑で形成され、上記複数の棒状体２から成る櫛部４ないし柄部６及び把持部８をプレス機械により平板状に打抜き後、上記折曲係止部５を折り曲げ加工により形成されるようにしたことを特徴とする燃え残り線香屑除去具である。
上記の燃え残り線香屑除去具によれば、薄板状ステンレス鋼鈑を用いて上記櫛部４ないし柄部６及び把持部８がプレス機械により打抜きならびに折り曲げ加工からなる少ない工程で量産される。
【考案の効果】
【００１２】
本考案は以下の効果を奏する。
【００１３】
請求項１に記載の考案によれば、線香立てに充填されている灰内部から複数の棒状体から成る櫛部を掻き上げる際に、上記灰内部に残されている燃え残り線香屑が上記櫛部ないし折曲係止部に係止されて外部に取出され、同時に灰が線香立て内部に落下するので、上記灰内部に残されている燃え残り線香屑を、簡易な操作で周囲を汚さずに効率良く取出すことができる。
【００１４】
請求項２に記載の考案によれば、薄板状ステンレス鋼鈑を用いて上記複数の棒状体から成る櫛部ないし柄部及び把持部がプレス機械により打抜きならびに折り曲げ加工からなる少ない工程で量産されるので、長期的に美観が維持され、安価で丈夫な燃え残り線香屑除去具を提供できる。
【考案を実施するための最良の形態】
【００１５】
本考案の実施例を以下に説明する。
【実施例】
【００１６】
図１には、本考案の一実施例が示されている。図１は実施例に係る燃え残り線香屑除去具の斜視図、図２は線香立ての斜視図である。
【００１７】
図１において、１は燃え残り線香屑除去具であって、この燃え残り線香屑除去具１は、先端が開放した複数の棒状体２を所定間隔離間して列設して成る櫛部４と、その先端を上方に折曲した折曲係止部５と、上記櫛部の後方に延設した柄部６と、この柄部６の後端に形成された把持部８から構成されている。
【００１８】
そして、  上記複数の棒状体２から成る櫛部４、及びその先端を上方に折曲した折曲係止部５、ないし上記櫛部４後方に延設した柄部６、及び該柄部６後端の把持部８は、薄板状ステンレス鋼鈑を図示しないプレス機械により平板状に打抜き後、上記折曲係止部５は折り曲げ加工により形成されている。
【００１９】
図２において、１０は一般家庭の仏壇等において使用されている線香立てであって、この線香立て１０は、有底円筒状に形成されたもので内部には灰１２が充填されている。使用時には、線香立て１０内部の灰に下端を差込んで立設した線香１４が焼香される。焼香が進むと線香１４は燃え尽きて灰１２の内部に差込まれている線香１４の下端部が後述する燃え残り線香屑として残る。
【００２０】
これが長期的に継続して使用されたり、法要などで一気に多量の線香１４が使用されると、多量の短い燃え残り線香屑が線香立て１０の灰１２の内部に残る。
【００２１】
次に、本考案の燃え残り線香屑除去具の使用例に付き説明する。図３は、燃え残り線香屑除去具の使用例を示す説明図である。
【００２２】
図３において、燃え残り線香屑除去具１の把持部８を摘んで櫛部４を線香立て１０の灰１２内部に挿入し、これを掻き上げることで上記灰１２内部に残されている燃え残り線香屑１５が上記櫛部４ないし折曲係止部５に係止されるとともに、灰１２は所定間隔離間した複数の棒状体２の隙間から線香立て１０内に落下し、燃え残り線香屑１５が外部に取出される。
【００２３】
このように、線香立て１０に充填されている灰１２の内部から複数の棒状体２で構成される櫛部４を掻き上げる際に、上記灰１２内部に残されている燃え残り線香屑１５が上記櫛部４ないし折曲係止部５に係止されて外部に取出され、同時に灰１２が上記棒状体２の隙間から容易に線香立て１０内部に落下するので、上記灰１２内部に残されている燃え残り線香屑１５を、簡易な操作で周囲を汚さずに効率良く取出すことができる。
【００２４】
また、薄板状ステンレス鋼鈑を用いて複数の棒状体２から成る櫛部４ないし柄部６及び把持部８が、プレス機械により打抜きならびに折り曲げ加工からなる少ない工程で量産されるので、長期的に美観が維持され安価で丈夫な燃え残り線香屑除去具を提供することができる。
【００２５】
図４は横長角型線香立ての使用例を示す線香立ての斜視図である。図４において、１１は横長角型の線香立てであって、この横長角型線香立て１１は、葬儀場などで使用されるやや大型の線香立て１１であって、焼香時に一度に多量の線香１４を立てることができるようになっているため、灰１２の内部にも多量の燃え残り線香屑１５が残る。
【００２６】
図５（ａ）〜（ｃ）は、上記横長角型の線香立ての灰内部に残った多量の燃え残り線香屑を取出す燃え残り線香屑除去具の使用例を示す説明図である。
【００２７】
図５（ａ）に示すように、焼香が済むと横長角型の線香立て１１の灰１２の内部には多量の燃え残り線香屑１５が残される。そこで、図５（ｂ）において、燃え残り線香屑除去具１を使用して複数の棒状体２から成る櫛部４の先端が上記線香立て１１の底部に当接するまで灰１２の内部に挿入し、上記櫛部４を前方に移動することで灰１２内部に残っている多量の燃え残り線香屑１５が折曲係止部５に係止されて上方に掻き上げられる。
【００２８】
次いで、図５（ｃ）において、燃え残り線香屑除去具１を上記線香立て１１の灰１２上面に掻き上げると、燃え残り線香屑１５が上記櫛部４ないし折曲係止部５に係止されて外部に取出され、同時に灰１２は複数の棒状体２間の隙間から線香立て１０内部にふるい落される。
【００２９】
なお、上記実施形態では、線香屑除去具の柄部６は直線状に形成されているが、スプーンのように後方に湾曲して形成することもでき、これにより操作性を容易にすることができる。
【図面の簡単な説明】
【００３０】
【図１】本考案の実施例に係る燃え残り線香屑除去具の斜視図である。
【図２】線香立ての斜視図である。
【図３】燃え残り線香屑除去具の使用例を示す説明図である。
【図４】横長角型線香立ての使用例を示す線香立ての斜視図である。
【図５】（ａ）〜（ｃ）は、上記横長角型の線香立ての灰内部に残った多量の燃え残り線香屑を取出す燃え残り線香屑除去具の使用例を示す説明図である。
【符号の説明】
【００３１】
１                  線香屑除去具
２                  棒状体
４                  櫛部
５                  折曲係止部
６                  柄部
８                  把持部
１０，１１          線香立て
１２                灰
１４                線香
１５                燃え残り線香屑
【図１】
0003126220.tif 000003
【図２】
0003126220.tif 000004
【図３】
0003126220.tif 000005
【図４】
0003126220.tif 000006
【図５】
0003126220.tif 000007